(57)【要約】【課題】  受信時のバッテリ消費電流を削減可能な安価で小型の無線部電源制御装置を提供する。【解決手段】  受信電源切替回路１０１は、電力増幅器１１５の電源供給に用いる降圧可変ＤＣ／ＤＣコンバータ１１６の出力を、低電圧固定レギュレータ１１２を介して低電圧受信回路１１１へ供給する経路１と、バッテリ１１８の出力をそのまま低電圧固定レギュレータ１１２を介して低電圧受信回路１１１へ供給する経路２とを切替える。受信電源切替部１０５は、送信開始設定信号により送信時か否かを識別し、送信していない時は、受信電源切替回路１０１の経路を経路１に切替えるように指示する電源切替制御信号を出力する。このとき、電圧設定部１１７は、降圧可変ＤＣ／ＤＣコンバータ１１６の出力電圧が低電圧受信回路１１１の動作電圧になるよう出力電圧値を設定する。【選択図】  図１
2006353059.tif 000002
【特許請求の範囲】
【請求項１】
バッテリの出力電圧に基づき受信回路に電源を供給する第１の電源回路と、
送信用の電力増幅器に電源を供給するもので、降圧可変ＤＣ／ＤＣコンバータを含む第２の電源回路と、
送信時か否か回路の動作状態を識別し、送信していないときには前記第２の電源回路の出力を用いて前記受信回路に供給するように電源を切替える電源切替え手段と
を備える無線部電源制御装置。
【請求項２】
請求項１記載の無線部電源制御装置であって、
前記電力増幅器を含む回路の動作電圧ごとに、前記第２の電源回路の出力電圧を設定するための電圧設定値を格納する電圧設定手段を備える無線部電源制御装置。
【請求項３】
請求項１記載の無線部電源制御装置であって、
前記受信回路の動作電圧の下限値と上限値に対応した電圧設定値を格納し、送信出力電力ごとの前記第２の電源回路の出力電圧設定値と比較する電圧設定値比較手段を備え、
前記電源切替え手段は、前記第２の電源回路の出力電圧が前記受信回路の動作電圧の範囲内である場合は、送信しているときでも前記第２の電源回路の出力を用いて前記受信回路に供給する無線部電源制御装置。
【請求項４】
請求項１記載の無線部電源制御装置であって、
前記バッテリの出力電圧を検出するバッテリ電圧検出手段と、
前記検出されたバッテリ電圧検出値と予め設定した切替電圧設定値とを比較する電圧設定値比較手段とを備え、
前記電源切替え手段は、前記バッテリ電圧検出値が前記切替電圧設定値よりも小さい場合は、送信していないときでも前記受信回路の電源を前記第１の電源回路による電源供給とする無線部電源制御装置。
【請求項５】
請求項１ないし４のいずれかに記載の無線部電源制御装置を備える移動無線通信装置。
【発明の詳細な説明】
【技術分野】
【０００１】
本発明は、携帯電話等の移動無線通信装置に用いる無線部電源制御装置及びその移動無線通信装置に関する。
【背景技術】
【０００２】
携帯電話等の移動無線通信装置においては、低消費電力化に向けて低電圧動作の部品が開発されている。異なる動作電圧の回路には、それぞれの動作電圧供給のための専用レギュレータが必要である。
【０００３】
図６は、従来の低電圧受信回路を搭載する移動無線通信装置における無線部電源制御装置の構成例を示す図である。この従来例の無線部電源制御装置は、高周波受信信号を増幅、妨害波除去、復調して受信ベースバンド信号を得る低電圧受信回路６０１と、低電圧受信回路６０１に電源電圧を供給する低電圧固定レギュレータ６０２と、送信ベースバンド信号を変調、増幅、妨害波除去を行う送信回路６０３と、送信回路６０３に電源電圧を供給する固定レギュレータ６０４と、送信回路６０３の出力電力を大幅に増幅する電力増幅器６０５と、歪特性を考慮して送信出力電力に応じて電力増幅器６０５の電源電圧を可変供給する降圧可変ＤＣ／ＤＣコンバータ６０６と、送信出力電力ごとの降圧可変ＤＣ／ＤＣコンバータ６０６の出力電圧設定値を格納し、送信開始設定信号により設定値を読み出してアナログ電圧に変換出力する電圧設定部６０７と、バッテリ６０８とを備えて構成されている。
【０００４】
この無線部電源制御装置において、低電圧固定レギュレータ６０２の代わりに降圧ＤＣ／ＤＣコンバータ６０９を用いることで、低電圧固定レギュレータ６０２を用いた場合の低電圧受信回路６０１のバッテリ消費電流に比べて、消費電流を削減できることが知られている。
【０００５】
また、ＬＳＩ等に電源を供給するための降圧ＤＣ−ＤＣコンバータにおける、ＬＳＩが動作していないときの消費電流を低減するために、入力電圧を降圧出力する降圧ＤＣ−ＤＣコンバータモードと、入力電圧をそのまま出力する入力電圧スルーモードとを切替えることができるようにした降圧ＤＣ−ＤＣコンバータが提案されている（例えば、特許文献１参照）。
【０００６】
【特許文献１】特開２００４−２４２３８７号公報
【発明の開示】
【発明が解決しようとする課題】
【０００７】
しかしながら、前記のような従来の構成では、受信回路専用の降圧ＤＣ／ＤＣコンバータを設けることになるため、低電圧固定レギュレータよりも高価であり、その周辺回路も大規模になる。このことによって、装置のコストと実装面積が大幅に増大するという課題があった。
【０００８】
本発明は、上記事情に鑑みてなされたもので、受信回路専用として新たに降圧ＤＣ／ＤＣコンバータを設けることなく、受信時における受信回路のバッテリ消費電流を削減し、小型で安価な低バッテリ消費電流の回路を構成することが可能な無線部電源制御装置及び移動無線通信装置を提供することを目的とする。
【課題を解決するための手段】
【０００９】
本発明の無線部電源制御装置は、バッテリの出力電圧に基づき受信回路に電源を供給する第１の電源回路と、送信用の電力増幅器に電源を供給するもので、降圧可変ＤＣ／ＤＣコンバータを含む第２の電源回路と、送信時か否か回路の動作状態を識別し、送信していないときには前記第２の電源回路の出力を用いて前記受信回路に供給するように電源を切替える電源切替え手段とを備えるものである。
【００１０】
これにより、受信回路専用に新たに降圧ＤＣ／ＤＣコンバータを設けることなく、受信時における受信回路のバッテリ消費電流を削減可能となる。
【００１１】
また、本発明は、上記の無線部電源制御装置であって、前記電力増幅器を含む回路の動作電圧ごとに、前記第２の電源回路の出力電圧を設定するための電圧設定値を格納する電圧設定手段を備えるものとする。
【００１２】
これにより、第２の電源回路の出力電圧を、送信時の送信出力電力や受信時の受信回路の電源電圧など、回路の動作電圧ごとに設定可能となる。
【００１３】
また、本発明は、上記の無線部電源制御装置であって、前記受信回路の動作電圧の下限値と上限値に対応した電圧設定値を格納し、送信出力電力ごとの前記第２の電源回路の出力電圧設定値と比較する電圧設定値比較手段を備え、前記電源切替え手段は、前記第２の電源回路の出力電圧が前記受信回路の動作電圧の範囲内である場合は、送信しているときでも前記第２の電源回路の出力を用いて前記受信回路に供給するものとする。
【００１４】
これにより、第２の電源回路の出力電圧が前記受信回路の動作電圧の範囲内であれば、送信時においても第２の電源回路の出力を受信回路の電源供給に用いることで、バッテリ消費電流を削減可能となる。
【００１５】
また、本発明は、上記の無線部電源制御装置であって、前記バッテリの出力電圧を検出するバッテリ電圧検出手段と、前記検出されたバッテリ電圧検出値と予め設定した切替電圧設定値とを比較する電圧設定値比較手段とを備え、前記電源切替え手段は、前記バッテリ電圧検出値が前記切替電圧設定値よりも小さい場合は、送信していないときでも前記受信回路の電源を前記第１の電源回路による電源供給とするものとする。
【００１６】
これにより、バッテリ電圧検出値が切替電圧設定値よりも小さい場合、例えば、バッテリ電圧が低下し、第１の電源回路による電源供給時の消費電力を超えるような電圧以下になった場合は、第１の電源回路による電源供給とすることで、バッテリ消費電流が第１の電源回路による電源供給時よりも大きくなるのを防止でき、受信回路のバッテリ消費電流を削減可能となる。
【００１７】
また、本発明は、上記いずれかの無線部電源制御装置を備える移動無線通信装置を提供する。
これにより、小型で安価な低バッテリ消費電流の無線部電源制御装置を持つ移動無線通信装置を実現できる。
【発明の効果】
【００１８】
本発明によれば、受信回路専用として新たに降圧ＤＣ／ＤＣコンバータを設けることなく、受信時における受信回路のバッテリ消費電流を削減し、小型で安価な低バッテリ消費電流の回路を構成することが可能な無線部電源制御装置及び移動無線通信装置を提供できる。
【発明を実施するための最良の形態】
【００１９】
（第１の実施形態）
図１は、本発明の第１の実施形態における無線部電源制御装置が搭載される移動無線通信装置の主要部の構成を示す図である。
【００２０】
無線部電源制御装置は、高周波受信信号の増幅、妨害波除去、復調を行って受信ベースバンド信号を得る低電圧受信回路１１１と、低電圧受信回路１１１に電源電圧を供給する第１の電源回路の一例に相当する低電圧固定レギュレータ１１２と、送信ベースバンド信号の変調、増幅、妨害波除去を行って高周波送信信号を得る送信回路１１３と、送信回路１１３に電源電圧を供給する固定レギュレータ１１４と、送信回路１１３の出力電力を大幅に増幅する電力増幅器１１５とを備える。また、歪特性を考慮して送信出力電力に応じて電力増幅器１１５の電源電圧を可変供給する第２の電源回路の一例に相当する降圧可変ＤＣ／ＤＣコンバータ１１６と、送信出力電力ごとの降圧可変ＤＣ／ＤＣコンバータ１１６の出力電圧設定値を格納し、送信開始設定信号により設定値を読み出してアナログ電圧に変換し出力する電圧設定手段の一例に相当する電圧設定部１１７と、バッテリ１１８とを備えている。
【００２１】
さらに、無線部電源制御装置は、受信時に電力増幅器１１５用の降圧可変ＤＣ／ＤＣコンバータ１１６の出力電圧を低電圧受信回路１１１用に切替えて印加できるようにした受信電源切替回路１０１と、送信開始設定信号に基づいて受信電源切替回路１０１に対して電源切替制御信号を供給する受信電源切替部１０５とを備えている。これらの受信電源切替回路１０１及び受信電源切替部１０５が電源切替え手段の機能を実現する。この受信電源切替回路１０１は、降圧可変ＤＣ／ＤＣコンバータ１１６の出力と低電圧固定レギュレータ１１２の入力との間の接続をオンオフするスイッチングトランジスタ１０２と、バッテリ１１８と低電圧固定レギュレータ１１２の入力との間の接続をオンオフするスイッチングトランジスタ１０３と、スイッチングトランジスタ１０３側の制御入力（ゲート入力）に設けられるインバータ１０４とを有して構成される。
【００２２】
受信電源切替回路１０１は、受信電源切替部１０５からの電源切替制御信号よって制御される。電源切替制御信号は、送信開始設定信号に基づいて送信時または同時送受信時に出力され、受信時には出力されないようになっている。また、電圧設定部１１７は、受信時の降圧可変ＤＣ／ＤＣコンバータ１１６の出力電圧を、低電圧受信回路１１１の動作電圧値になるように、出力電圧設定値を設定記憶する。
【００２３】
第１の実施形態の無線部電源制御装置を備える移動無線通信装置が受信動作を行う場合、送信開始設定信号は低電圧（ローレベル）となっている。電圧設定部１１７は、送信開始設定信号が低電圧であると、予め格納されている低電圧受信回路１１１の動作電圧に対応した電圧設定値を読み出し、アナログ電圧に変換して降圧可変ＤＣ／ＤＣコンバータ１１６に出力する。降圧可変ＤＣ／ＤＣコンバータ１１６は、バッテリ１１８の電圧を、入力されるアナログ信号の大きさに応じた電圧に降圧して出力する。
【００２４】
また、送信開始設定信号が低電圧である場合は、受信電源切替部１０５の出力である電源切替制御信号として低電圧が出力される。電源切替制御信号は、受信電源切替回路１０１のインバータ１０４で反転されて高電圧（ハイレベル）となり、スイッチングトランジスタ１０３の制御端子（ゲート）に供給される。この高電圧の制御信号によってスイッチングトランジスタ１０３をオフすることで、バッテリ１１８と低電圧固定レギュレータ１１２間の経路２を遮断する。
【００２５】
これと同時に、電源切替制御信号は低電圧のまま受信電源切替回路１０１のスイッチングトランジスタ１０２の制御端子（ゲート）に供給される。この低電圧の制御信号によってスイッチングトランジスタ１０２はオンし、オンすることで降圧可変ＤＣ／ＤＣコンバータ１１６と低電圧固定レギュレータ１１２間の経路１を導通する。これにより、降圧可変ＤＣ／ＤＣコンバータ１１６の出力は、低電圧固定レギュレータ１１２を介して低電圧受信回路１１１に電源電圧として供給される。このとき、降圧可変ＤＣ／ＤＣコンバータ１１６の出力は電力増幅器１１５にも接続されているが、受信時には電力増幅器１１５はオフしているので電流はほとんど流れない。
【００２６】
また、送信または同時送受信を行う場合、送信開始設定信号は高電圧（ハイレベル）となっている。電圧設定部１１７は、送信開始設定信号が高電圧であると、予め格納されている送信出力電力ごとの電力増幅器１１５の電源電圧に対応した電圧設定値を読み出し、アナログ電圧に変換して降圧可変ＤＣ／ＤＣコンバータ１１６に出力する。降圧可変ＤＣ／ＤＣコンバータ１１６は、バッテリ１１８の電圧を、入力されるアナログ信号の大きさに応じた電圧に降圧して出力する。
【００２７】
また、送信開始設定信号が高電圧である場合は、受信電源切替部１０５の出力である電源切替制御信号として高電圧が出力される。この高電圧の制御信号は受信電源切替回路１０１のスイッチングトランジスタ１０２の制御端子に供給され、スイッチングトランジスタ１０２をオフする。スイッチングトランジスタ１０２をオフすることで、降圧可変ＤＣ／ＤＣコンバータ１１６と低電圧レギュレータ１１２間の経路１が遮断される。これと同時に、電源切替制御信号は受信電源切替回路１０１のインバータ１０４で反転されて低電圧となり、受信電源切替回路１０１のスイッチングトランジスタ１０３の制御端子に供給される。この低電圧の制御信号によってスイッチングトランジスタ１０３はオンし、オンすることで、バッテリ１１８と低電圧固定レギュレータ１１２間の経路２が導通される。これにより、低電圧受信回路１１１の電源電圧は、バッテリ１１８から低電圧レギュレータ１１２を介して供給される。
【００２８】
ここで、バッテリの消費電流がどのくらい削減できるかについて一例を挙げて説明する。図２は本実施形態の無線部電源制御装置における電圧と消費電流の関係を示す図であり、バッテリ１１８、降圧可変ＤＣ／ＤＣコンバータ１１６、低電圧固定レギュレータ１１２、低電圧受信回路１１１の間の電圧及び電流を示している。
【００２９】
図２において、バッテリ１１８の電圧と消費電流をそれぞれＶｂ、Ｉｂとし、降圧可変ＤＣ／ＤＣコンバータ１１６の出力電圧と出力電流をそれぞれＶｄｃ、Ｉｄｃとし、低電圧受信回路１１１に供給される電源電圧と消費電流をそれぞれＶｃ、Ｉｃとしている。このときの降圧可変ＤＣ／ＤＣコンバータ１１６の効率ηは、次の（１）式で表される。
η＝（Ｖｄｃ＊Ｉｄｃ）／（Ｖｂ＊Ｉｂ）    …（１）
【００３０】
この（１）式から、バッテリ１１８の消費電流Ｉｂは、次の（２）式から求めることができる。
Ｉｂ＝（Ｖｄｃ＊Ｉｄｃ）／（Ｖｂ＊η）＝（Ｖｃ＊Ｉｃ）／（Ｖｂ＊η）…（２）
【００３１】
また、図３は降圧可変ＤＣ／ＤＣコンバータ１１６の効率対出力電流の特性例を示す特定図である。一例として、低電圧受信回路１１１にかかる電源電圧Ｖｃと消費電流ＩｃをそれぞれＶｃ＝１．８Ｖ、Ｉｃ＝３０ｍＡとし、バッテリ１１８の電圧をＶｂ＝３．７Ｖとすると、図３より、降圧可変ＤＣ／ＤＣコンバータ１１６の効率ηは９０％となる。
【００３２】
よって、Ｖｃ＝１．８Ｖ、Ｉｃ＝３０ｍＡ、Ｖｂ＝３．７Ｖ、η＝０．９を上記（２）式に代入すると、バッテリ１１８の消費電流Ｉｂは１６．２ｍＡとなる。このように、降圧可変ＤＣ／ＤＣコンバータ１１６から低電圧受信回路１１１に電源電圧を供給する場合のバッテリ１１８の消費電流は、バッテリ１１８から直接低電圧固定レギュレータ１１２を介して供給するレギュレータ供給時の消費電流３０ｍＡに比べて、１４ｍＡ程度の削減となる。
【００３３】
このように、第１の実施形態では、受信電源切替回路１０１を設けて、低電圧固定レギュレータ１１２の電圧入力経路を、送信時または同時送受信時にはバッテリ側の経路２が選択され、受信時は降圧可変ＤＣ／ＤＣコンバータ１１６側に選択されるように、受信電源切替回路１０１を切替制御する。この構成によって、電力増幅器１１５に電源供給する降圧可変ＤＣ／ＤＣコンバータ１１６を低電圧受信回路１１１にも使用することが可能となり、新たに受信回路専用の降圧ＤＣ／ＤＣコンバータを設けることなく、安価かつ少ない実装面積で、受信時のバッテリ消費電流を大幅に削減できる。
【００３４】
（第２の実施形態）
図４は、本発明の第２の実施形態における無線部電源制御装置の構成図である。図４において、図１に示した第１の実施形態と同様の構成要素については、同一符号を付して説明を省略する。
【００３５】
第２の実施形態では、電圧設定部２０７は、送信出力電力ごとの電圧設定値を送信出力電力値が更新されるたびに出力する機能を備える。また、予め決められた低電圧受信回路電源電圧範囲の上限設定値と下限設定値を格納し、送信出力電力ごとの電圧設定値と、送信出力電力値が更新されるたびに比較して比較結果を受信電源切替部２０５に出力する電圧設定値比較手段の一例に相当する電圧設定値比較部２０１を設ける。また、受信電源切替部２０５は、電圧設定値比較部２０１の比較結果をもとに受信電源切替回路１０１に電源切替制御信号を出力する機能を備える。
【００３６】
受信電源切替部２０５は、入力される送信出力電力ごとの電圧設定値と、予め格納されている低電圧受信回路１１１の電源電圧範囲の上限設定値及び下限設定値とを、送信出力電力が更新されるたびに比較する。そして、電圧設定値が上限設定値以下または下限設定値以上である場合は、電源切替制御信号を低電圧にして経路１を導通させ、経路２を遮断させる。また、電圧設定値が電源電圧範囲外である場合は、電源切替制御信号を高電圧にして経路１を遮断し、経路２を導通させる。
【００３７】
これにより、送信時または同時送受信時であっても、降圧可変ＤＣ／ＤＣコンバータ１１６の出力電圧が低電圧受信回路１１１の電源電圧範囲内であれば、降圧可変ＤＣ／ＤＣコンバータ１１６から低電圧受信回路１１１に電源電圧が供給される。
【００３８】
このように、第２の実施形態では、送信時または同時送受信時であっても、降圧可変ＤＣ／ＤＣコンバータ１１６の出力電圧が低電圧受信回路１１１の電源電圧範囲内である場合は降圧可変ＤＣ／ＤＣコンバータ１１６から低電圧受信回路１１１に電源電圧を供給することができ、バッテリの消費電流を削減することができる。
【００３９】
（第３の実施形態）
図５は、本発明の第３の実施形態における無線部電源制御装置の構成図である。図５において、図１に示した第１の実施形態と同様の構成要素については、同一符号を付して説明を省略する。
【００４０】
第３の実施形態では、バッテリ電圧を検出し、検出した電圧を降圧可変ＤＣ／ＤＣコンバータ１１６の電圧設定値に変換してバッテリ電圧変換値として出力するバッテリ電圧検出手段の一例に相当するバッテリ電圧検出部３０２と、予め決められた切替バッテリ電圧設定値を格納し、その切替バッテリ電圧設定値とバッテリ電圧変換値とを比較し、比較結果を受信電源切替部３０５に出力する電圧設定値比較手段の一例に相当する電圧設定値比較部３０１とを設ける。また、受信電源切替部３０５は、電圧設定値比較部３０１の比較結果をもとに受信電源切替回路１０１に電源切替制御信号を出力する機能を備える。
【００４１】
受信電源切替部３０５は、バッテリ電圧変換値が切替バッテリ電圧設定値よりも大きい場合は、電源切替制御信号を低電圧にして経路１を導通させ、経路２を遮断させる。また、バッテリ電圧変換値が切替バッテリ電圧設定値よりも小さい場合は、電源切替制御信号を高電圧にして経路１を遮断し、経路２を導通させる。
【００４２】
ここで、予め決められた切替バッテリ電圧設定値とは、経路１から経路２に切り替えるバッテリ電圧の閾値である。この切替バッテリ電圧設定値は、バッテリ１１８が消費されてバッテリ電圧が下がり、電源効率の悪いＤＣ／ＤＣコンバータを使用すると逆にバッテリ消費電流が増えるのを防ぐために設定するものである。
【００４３】
例えば前述の（２）式において、Ｖｃ＝１．８Ｖ、Ｉｃ＝３０ｍＡ、Ｖｂ＝３．０Ｖ、η＝０．５とすると、Ｉｂ＝（１．８＊３０）／（３．０＊０．５）＝３６ｍＡとなる。この場合は、バッテリ１１８から直接低電圧固定レギュレータ１１２を介して供給するレギュレータ供給時の消費電流３０ｍＡに対して、ＤＣ／ＤＣコンバータ使用時の消費電流が６ｍＡの増加となる。
【００４４】
これに対応して、切替バッテリ電圧設定値を適宜設定することで、受信時であっても、バッテリ電圧がレギュレータ供給時の消費電力を超えるような電圧（切替バッテリ電圧設定値）以下になった場合は、低電圧受信回路１１１の電源電圧供給が降圧可変ＤＣ／ＤＣコンバータ１１６から低電圧固定レギュレータ１１２に切替えられ、バッテリ消費電流の増加が防止される。例えば、バッテリ電圧が低下し、降圧可変ＤＣ／ＤＣコンバータ１１６の電圧変換効率が悪くなった場合には、低電圧受信回路１１１の電源電圧をレギュレータ供給に切替えることで、バッテリ消費電流がレギュレータ供給時よりも大きくなるのを防ぐことができる。
【００４５】
このように、第３の実施形態では、受信時であっても、バッテリ電圧がレギュレータ供給時の消費電力を超えるような電圧以下になった場合は、低電圧受信回路１１１の電源電圧供給を降圧可変ＤＣ／ＤＣコンバータ１１６から低電圧固定レギュレータ１１２に切替えることができる。このため、バッテリ消費電流がレギュレータ供給時の電流以上に増加することを防止することができ、バッテリの消費電流を削減できる。
【００４６】
以上のように、本実施形態によれば、電力増幅器の電源に用いている降圧可変ＤＣ／ＤＣコンバータの出力電圧を、受信時に低電圧受信回路の電源として流用することにより、受信回路専用として新たに降圧ＤＣ／ＤＣコンバータを設けることなく、低電圧受信回路のバッテリ消費電流を削減できる。これによって、低バッテリ消費電流であり、かつ、小型で安価な無線部電源制御装置を構成できる。
【産業上の利用可能性】
【００４７】
本発明は、受信回路専用として新たに降圧ＤＣ／ＤＣコンバータを設けることなく、受信時における受信回路のバッテリ消費電流を削減し、小型で安価な低バッテリ消費電流の回路を構成することができるという効果を有し、携帯電話等の移動無線通信装置に用いる無線部電源制御装置及びその移動無線通信装置等に有用である。
【図面の簡単な説明】
【００４８】
【図１】本発明の第１の実施形態における無線部電源制御装置が搭載される移動無線通信装置の主要部の構成を示す図
【図２】本実施形態の無線部電源制御装置における電圧と消費電流の関係を示す図
【図３】降圧可変ＤＣ／ＤＣコンバータの効率対出力電流の特性例を示す特定図
【図４】本発明の第２の実施形態における無線部電源制御装置の構成図
【図５】本発明の第３の実施形態における無線部電源制御装置の構成図
【図６】従来の低電圧受信回路を搭載する移動無線通信装置における無線部電源制御装置の構成例を示す図
【符号の説明】
【００４９】
１０１  受信電源切替回路
１０２、１０３  スイッチングトランジスタ
１０４  インバータ
１０５、２０５、３０５  受信電源切替部
１１１  低電圧受信回路
１１２  低電圧固定レギュレータ
１１３  送信回路
１１４  固定レギュレータ
１１５  電力増幅器
１１６  降圧可変ＤＣ／ＤＣコンバータ
１１７、２０７  電圧設定部
１１８  バッテリ
２０１、３０１  電圧設定値比較部
３０２  バッテリ電圧検出部
【図１】
2006353059.tif 000003
【図２】
2006353059.tif 000004
【図３】
2006353059.tif 000005
【図４】
2006353059.tif 000006
【図５】
2006353059.tif 000007
【図６】
2006353059.tif 000008